(57)【特許請求の範囲】
【請求項１】
プラスチック製の充填体を前後左右に並べながら複数段積み上げて内部に充填した槽と管との接続構造であって、管を接続すべき箇所の充填体に代えて、管接続部として前後方向に貫通する貫通孔が偏心した位置に形成された直方体又は立方体の管接続用ブロックを配置し、この管接続用ブロックの管接続部に管を接続したことを特徴とする、槽と管との接続構造。
【請求項２】
管接続用ブロックがプラスチック発泡体からなるブロックである請求項１に記載の接続構造。
【請求項３】
管接続用ブロックが、一つの充填体もしくは二つ積み重ねた充填体と実質的に同じ大きさを有する直方体又は立方体のブロックである請求項１又は請求項２に記載の接続構造。
【発明の詳細な説明】
【０００１】
【発明の属する技術分野】
本発明は槽と管との接続構造に関し、更に詳しくは、プラスチック製の充填体を内部に充填した槽と管との接続構造に関する。
【０００２】
【従来の技術】
本出願人は、地下に構築する簡易な雨水貯溜槽や雨水浸透槽として、図６、図７に模式的に示すような槽を開発した。
【０００３】
この図６に示す雨水貯溜槽は、合成樹脂製の充填体１を前後左右に並べながら複数段積み上げて槽内に充填し、その四側面及び底面を遮水シート２と保護シート３ａ，３ｂで被覆すると共に、その上面を透水シート４で被覆し、雨水導入管５と雨水排出管６を側面に接続したものである。このような雨水貯溜槽では、雨水導入管５から槽内に導入される雨水と、地表から槽内へ浸透する雨水が貯溜され、必要なときに排出管６から取り出されて有効利用される。また、都市型洪水などを防止するために、河川に流される雨水をこの貯溜槽に導入して一時的に流出を抑制する場合があり、そのときは雨水貯溜槽の水を河川の流量が減少した時期に排出管６から排水する。
【０００４】
また、図７に示す雨水浸透槽は、上記と同様にプラスチック製の充填材を槽内に充填すると共に、その四側面と底面と上面を透水シート４で被覆し、雨水導入管５と雨水排出管６を側面に接続したものである。このような雨水浸透槽では、雨水導入管５から槽内に導入される雨水と地表から槽内に浸透する雨水が一時的に槽内に貯溜されて、槽側や槽底から時間をかけて地下に浸透排水され、過剰の雨水は排出管６から排出されるようになっている。
【０００５】
これらの槽内に充填される充填体１は、図５に示すように、ポリプロピレン等のプラスチックで成形された正方形の枠体１ａと短い中空の柱体１ｂから成るもので、枠体１ａの四隅部と中央部と四辺の中間部には、柱体１ｂを上下から嵌合できる嵌合穴１ｃが形成されており、更に、軽量化と材料の節約を図るための大きい開口部１ｄも複数形成されている。そして、この枠体１ａの各嵌合穴１ｃに各柱体１ｂの上端が下方から嵌合固定され、一つの充填体１が構成されている。この充填体１の高さ寸法は枠体１ａの一辺の長さ寸法の半分とされており、そのため、この充填体１を二つ積み重ねると、立方体と同様に、縦、横、高さ寸法が等しくなるようになっている。
【０００６】
【発明が解決しようとする課題】
しかしながら、上記のような枠体１ａと柱体１ｂよりなる充填体１を槽内に充填して構築した槽においては、雨水導入管５や雨水排出管６を接続するときに、次のような問題が生じた。
【０００７】
即ち、これらの管５，６を、積み重ねられた充填体１の柱体１ｂと柱体１ｂとの間の空間部に挿入できる場合は、問題なく接続できるが、管５，６の接続位置がずれて充填体１の枠体１ａや柱体１ｂに当たる場合や、管５，６が太くて空間部に挿入できない場合には、枠体１ａや柱体１ｂを切除して管５，６を挿入しなければならなくなる。けれども、このように枠体１ａや柱体１ｂを切除すると、この切除した充填体１のところで上方からの荷重を支えることができなくなったり、側方からの土圧を受け止めることができなくなるため、この切除した充填体１の上に積み上げられた充填体が部分的に崩れ落ちたり、側面の土砂がこの切除した充填体１のところで各シート２，３ａ，３ｂ，４を破って槽内へ侵入する恐れがあった。また、上記のように管の位置や太さに合わせて充填体１を切除加工して管を接続する作業はきわめて面倒で手間がかかるため、施工性の低下を招くという問題もあった。
【０００８】
本発明は上記の問題に対処すべくなされたもので、その目的とするところは、充填体を切除加工しないで施工性良く槽と管との接続を行うことができ、充填体の部分的な崩落や側面の土砂の侵入を防止することができる、槽と管との接続構造を提供することにある。
【０００９】
【課題を解決するための手段】
上記目的を達成するため、請求項１に係る発明は、プラスチック製の充填体を前後左右に並べながら複数段積み上げて内部に充填した槽と管との接続構造であって、管を接続すべき箇所の充填体に代えて、管接続部として前後方向に貫通する貫通孔が偏心した位置に形成された直方体又は立方体の管接続用ブロックを配置し、この管接続用ブロックの管接続部に管を接続したことを特徴とするものである。
【００１０】
そして、請求項２に係る発明は、上記請求項１の接続構造において、その管接続用ブロックがプラスチック発泡体からなるブロックであることを特徴とし、
請求項３に係る発明は、上記請求項１又は２の接続構造において、その管接続用ブロックが、一つの充填体もしくは二つ積み重ねた充填体と実質的に同じ大きさを有する直方体又は立方体のブロックであることを特徴とするものである。
【００１１】
請求項１の接続構造のように、管を接続すべき箇所の充填体に代えて管接続部を有する管接続用ブロックを配置してあると、従来のように管を接続するときに充填体を切除加工する必要がなくなり、管接続用ブロックの管接続部に管を接続するだけで簡単、確実に施工が可能となる。しかも、この管接続用ブロックによって上方からの荷重を支えることができると共に、側方からの土圧を受け止めることもできるので、このブロックの上に積み上げられた充填体が部分的に崩れ落ちたり、側面の土砂が槽内へ侵入するのを防止することができる。また、管接続用ブロックが管接続部として前後方向に貫通する貫通孔が偏心した位置に形成された直方体又は立方体のブロックであるので、これを回転させることによって管接続部たる貫通孔の位置を変えることができて、管の位置がずれた場合でも貫通孔の位置を合わせて接続することが可能となり、施工性が大幅に向上する。
【００１２】
そして、請求項２の接続構造のように、管接続用ブロックがプラスチック発泡体からなるブロックであると、軽量で持ち運びしやすいため、管を接続すべき箇所に容易に積み重ねることができ、また、後述するように発熱線体等を使用して管接続部を簡単にくり貫き加工することもできる。
【００１３】
また、請求項３の接続構造のように、管接続用ブロックが一つの充填体もしくは二つ積み重ねた充填体と実質的に同じ大きさを有する直方体又は立方体のブロックであると、管を接続すべき箇所の一つの充填体又は二つ積み重ねた充填体と管接続用ブロックをそっくり入れ替えることができる。
【００１４】
【発明の実施の形態】
以下、図面を参照して本発明の具体的な実施形態を詳述する。
【００１５】
図１は本発明の一実施形態に係る槽と管との接続構造を採用して導入管及び排出管をそれぞれ接続した雨水貯溜槽の概略説明図、図２は図１の円で囲まれた槽と排出管との接続部分の拡大図、図３は同接続構造に用いられる管接続用ブロックの斜視図、図４（ａ）〜（ｄ）は同ブロックを９０°ずつ回転させたときの正面図、図５は充填体の斜視図である。
【００１６】
図１に示す雨水貯溜槽は、既述した図５に示すプラスチック製の充填体１を前後左右に並べながら複数段積み上げて槽内に充填すると共に、その四側面と底面と上面に、多数の孔が形成されたプラスチック製の外板７をそれぞれ取付けたものであって、この外板７が取付けられた貯溜槽の四側面及び底面は、遮水シート２と保護シート３ａ，３ｂによって水密的に被覆されており、また、外板７が取付けられた貯水槽の上面は、透水シート４によって雨水が浸透できるように被覆されている。そして、この雨水貯溜槽の一側面（左側面）の上部と他側面（右側面）の下部には、雨水を導入する導入管５と雨水を排出する排出管６がそれぞれ本発明の接続構造を採用して接続されている。
【００１７】
この接続構造は、管を接続すべき箇所、つまり雨水貯溜槽の一側面の上部と他側面の下部において、充填体に代えて管接続部８ａを有する管接続用ブロック８をそれぞれ配置し、遮水シート２と保護シート３ａ，３ｂと外板７を貫いて、導入管５と排出管６をそれぞれの管接続用ブロック８の管接続部８ａに差込み接続したものである。
【００１８】
この管接続用ブロック８は、比較的軽量で強度のある土木用発泡スチロール等のプラスチック発泡体からなるブロックであって、既述した充填体１を二つ積み重ねたものと実質的に同じ大きさを有する立方体に形成されており、図３，図４に示すように、管接続部として前後方向に貫通する貫通孔８ａが偏心した位置に形成されている。従って、この管接続用ブロック８を９０°ずつ回転させると、図４の（ａ）〜（ｄ）に示すように、貫通孔８ａの位置が少しずつ変わるようになっている。この貫通孔８ａは、例えばニクロム線などの発熱線体をブロック８に貫通させて通電発熱させながら筒状にくり貫くことにより、比較的容易に形成することができる。なお、この発熱線体は、上記ブロックを寸法調整等のために適宜切断する場合にも使用される。
【００１９】
このような管接続用ブロック８を、図１に示すように、導入管５を接続すべき貯溜槽一側面の上部の二つの充填体、及び、排出管６を接続すべき貯溜槽他側面の下部の二つの充填体に代えて配置し、それぞれのブロック８の貫通孔８ａに導入管５と排出管６を差込み接続した接続構造では、従来のように充填体１の管が当たる部分を切除加工する面倒な作業が不要となり、また、ブロック８を９０°ずつ回転させることによって貫通孔８ａと管５，６との位置合わせも比較的容易に行えるため、施工性が大幅に向上するようになる。しかも、この管接続用ブロック８によって上方からの荷重や側方からの土圧を受け止めることができるので、例えば貯溜槽下部の排出管６の接続箇所のように大きい荷重と大きい土圧が作用する箇所であっても、そのブロック８の上に積み上げられた充填体１が崩れ落ちたり、外側の土砂が保護シート３ａ，３ｂ、遮水シート２、外板７を破って槽内へ侵入するのを充分に防止することが可能となる。
【００２０】
排出管６の接続部分は、例えば図２に示すように排出管６の周囲を遮水シート２で包囲し、その外側から締付けベルト９で締付け固定すると共に、締付けベルト９を保護シート３ｂで被覆することによって、水密性を確保することが好ましく、また、導入管５の接続部分も同様にして水密性を確保することが好ましい。
【００２１】
更に、貯溜槽下部の排出管６の接続箇所のように上方から大きい荷重が作用するところでは、図２に仮想線で示すように支持板１０を管接続用ブロック８の上面に重ねて、この支持板１０の上に充填体１の柱体１ｂを載置し、上方からの大きい荷重によって柱体１ｂがブロック８の上面に食い込まないようにすることが好ましい。
【００２２】
なお、図示はしていないが、この雨水貯溜槽の他側面の上部には、槽内が満杯になったときに過剰の雨水を排出するオーバーフロー管を接続するのが普通であり、このオーバーフロー管も上記の導入管５や排出管６と同様に管接続用ブロック８を用いて接続される。
【００２３】
上記の実施形態では、充填体１を二つ重ねたものと同じ大きさの立方体に形成された管接続用ブロック８を使用しているが、管接続用ブロック８は一つの充填体１と同じ大きさの直方体に形成されたものでもよい。
【００２４】
また、管接続用ブロック８の管接続部８ａは必ずしも貫通孔に形成する必要がなく、管５，６を挿入あるいは嵌合することによって接続固定できる形状のもの（例えば半円状の断面を有する溝など）であれば足る。
【００２５】
以上、雨水貯溜槽に導入管５と排出管６を接続する場合を例にとって本発明の接続構造を説明したが、本発明の接続構造は、図７に示す雨水浸透槽やその他の充填体を充填するタイプの槽に管を接続する場合にも同様に適用されることは言うまでもない。
【００２６】
【発明の効果】
本発明の槽と管との接続構造は、従来のように充填体の管が当たる部分を切除加工する面倒な作業が不要であるため施工性が大幅に向上し、しかも、管接続用ブロックによって上方からの荷重や側方からの土圧を受け止めることができるため、このブロックの上に積み上げられた充填体が部分的に崩れ落ちたり、側面の土砂が槽内へ侵入するのを防止できるといった顕著な効果を奏する。そして、プラスチック発泡体からなるブロックを用いたものは、軽量で持ち運びしやすく、管を接続すべき箇所に容易に配置することができ、更に、管接続部としての貫通孔を偏心した位置に形成した立方体のブロックを用いたものは、これを９０°ずつ回転させることによって貫通孔の位置を少しずつ変えることができるため、貫通孔と管との位置合わせがし易くなって施工性が一層向上するといった効果も奏する。
【図面の簡単な説明】
【図１】本発明の一実施形態に係る槽と管との接続構造を採用して導入管及び排出管をそれぞれ接続した雨水貯溜槽の概略説明図である。
【図２】図１の円で囲まれた槽と排出管との接続部分の拡大図である。
【図３】同接続構造に用いられる管接続用ブロックの斜視図である。
【図４】（ａ）〜（ｄ）は同ブロックをそれぞれ９０°ずつ回転させたときの正面図である。
【図５】充填体の斜視図である。
【図６】導入管と排出管を接続した従来の雨水貯溜槽の概略説明図である。
【図７】導入管と排出管を接続した従来の雨水貯溜槽の概略説明図である。
【符号の説明】
１  充填体
１ａ  充填体の枠体
１ｂ  充填体の柱体
２  遮水シート
３ａ，３ｂ  保護シート
４  透水シート
５  導入管
６  排出管
７  外板
８  管接続用ブロック
８ａ  管接続部（貫通孔）
９  締付けバンド
１０  支持板
【図１】
0004471140.tif 000002
【図２】
0004471140.tif 000003
【図３】
0004471140.tif 000004
【図４】
0004471140.tif 000005
【図５】
0004471140.tif 000006
【図６】
0004471140.tif 000007
【図７】
0004471140.tif 000008